(57)【特許請求の範囲】
【請求項１】
近位端部から遠位端部へ長手方向に延びるとともに全長にわたって延びるチャネルを含み、かつ、装置の近位部に解放可能に連結されるカプセルと、
近位端部が、前記カプセルの前記チャネルの中に摺動可能に受け入れられ、遠位端部が、相互に離間するように前記カプセルの遠位端部を越えて遠位側に延出する開配置と、相互に引き寄せられるように前記カプセルの内面によって拘束される閉配置との間で移動可能な一対のクリップ・アームと、
前記一対のクリップ・アームに連結され、予め設定された荷重を受けた場合に相互に分離するように、相互に解放可能に連結された近位部と遠位部とを含むコア部材と、
前記コア部材に連結され、近位端部が電流を前記一対のクリップ・アームに供給するために電源に接続された、導電性の制御部材と、を備え、
前記一対のクリップ・アームの一方である第１のクリップ・アームは、第１のクリップ・アーム被覆部と、第１のクリップ・アーム導電部とを含み、前記第１のクリップ・アーム導電部の第１の部分は、前記第１のクリップ・アームが通電された際に組織を焼灼するように構成され、前記第１のクリップ・アーム導電部の第２の部分は、前記第１のクリップ・アームが通電された際に組織を凝固するように構成される、組織治療のための装置。
【請求項２】
前記装置の近位部は、可撓性部材と、前記可撓性部材の遠位端のブッシングとを含む、請求項１に記載の装置。
【請求項３】
前記可撓性部材と前記ブッシングとは、当該可撓性部材を電流から保護するために非導電性要素によって相互に離間される、請求項２に記載の装置。
【請求項４】
前記コア部材の前記近位部と前記遠位部とは、破壊可能なリンクによって相互に連結される、請求項１から３のいずれか一項に記載の装置。
【請求項５】
前記カプセルは、絶縁されているか、又は非導電性材料から形成されているか、のいずれか一方である、請求項１から４のいずれか一項に記載の装置。
【請求項６】
前記カプセルは、導電性材料から形成されている、請求項１から４のいずれか一項に記載の装置。
【請求項７】
前記制御部材の一部分は、前記装置の近位部を保護するために絶縁されている、請求項１から６のいずれか一項に記載の装置。
【請求項８】
前記コア部材の前記近位部は、前記一対のクリップ・アームの近位端部を嵌合するための拘束タブを含み、前記遠位部は、前記一対のクリップ・アームのそれぞれを経由して横方向に延びる対応の切欠を嵌合させるための整合突出部を含む、請求項１から７のいずれか一項に記載の装置。
【請求項９】
前記一対のクリップ・アームの他方である第２のクリップ・アームは、第２のクリップ・アーム導電部を含み、前記第２のクリップ・アーム導電部の第１の部分は、前記第１のクリップ・アームが通電された際に組織を焼灼するように構成され、前記一対のクリップ・アームの両方の第１の部分は、相互に向かって横方向に延びる鋭利な歯を含む、請求項１から８のいずれか一項に記載の装置。
【請求項１０】
前記第１のクリップ・アーム導電部の第２の部分は、前記第１のクリップ・アームの内面に沿って形成されている、請求項１から９のいずれか一項に記載の装置。
【請求項１１】
近位端部から遠位端部へ長手方向に延びる可撓性部材と、前記可撓性部材の前記遠位端部に連結されたブッシングとを含む近位部と、
前記近位部から配置可能になるように前記近位部に解放可能に連結された遠位部と、
を備え、前記遠位部は、
前記ブッシングに解放可能に連結され、近位端部から遠位端部へ長手方向に延びるとともに全長にわたって延びるチャネルを含むカプセルと、
近位端部から延び、前記カプセルの前記チャネルの中に摺動可能に受け入れられる一対のクリップ・アームと、を含み、前記一対のクリップ・アームは、当該一対のクリップ・アームの遠位端部が相互に離間するように前記カプセルの前記遠位端部を越えて遠位側に延びる開配置と、当該一対のクリップ・アームの前記遠位端部が相互に引き寄せられるように前記一対のクリップ・アームが前記カプセルの内面によって拘束される閉配置との間で移動可能であり、
前記一対のクリップ・アームの近位端部に連結され、予め設定された荷重を受けた場合に機能しなくなるように設計された破壊可能なリンクによって相互に連結された近位部と遠位部とを含むコア部材と、
前記コア部材に連結され、近位端部が電流を前記一対のクリップ・アームに供給するために電源に接続された導電性の制御ワイヤと、を備え、
前記一対のクリップ・アームの一方である第１のクリップ・アームは、第１のクリップ・アーム被覆部と、第１のクリップ・アーム導電部とを含み、前記第１のクリップ・アーム導電部の第１の部分は、前記第１のクリップ・アームが通電された際に組織を焼灼するように構成され、前記第１のクリップ・アーム導電部の第２の部分は、前記第１のクリップ・アームが通電された際に組織を凝固するように構成される、クリッピング装置。
【請求項１２】
前記制御ワイヤの一部分に広がる絶縁シースをさらに含む、請求項１１に記載のクリッピング装置。
【請求項１３】
前記一対のクリップ・アームの他方である第２のクリップ・アームは、第２のクリップ・アーム導電部を含み、前記第２のクリップ・アーム導電部の第１の部分は、前記第１のクリップ・アームが通電された際に組織を焼灼するように構成され、前記一対のクリップ・アームの両方の第１の部分は、相互に向かって横方向に延びる鋭利な歯を含む、請求項１１又は１２に記載のクリッピング装置。
【発明の詳細な説明】
【技術分野】
【０００１】
本発明は、電気焼灼止血クリップに関する。
【背景技術】
【０００２】
医師は、より積極的に介入的な治療上の内視鏡を用いた処置を進んで行う傾向が強くなってきており、それは、たとえば、より大きい病変（たとえば、癌性の塊）の除去、粘膜の下の組織を治療するために消化（ＧＩ）管の中の粘膜層の下での穿孔、組織の全層除去、ＧＩ管を通して装置を挿入し、次いで、ＧＩ管の外側の組織を治療するためにＧＩ系の器官を突き通すこと、及び、手術後の諸問題（たとえば、手術後の漏出、外科的ステープル・ラインの破壊、吻合部漏出）の内視鏡による治療／修復を含む。これらの処置は、ＧＩ管の壁部を穿孔若しくは損傷させるリスクを増加させる可能性があり、又は、処置の一部として、ＧＩ管壁部の閉塞を必要とする可能性がある。内視鏡による閉塞は、コストを低減させ、これらの処置に関連する外傷及び不都合を低減させることが可能である。しかしながら、従来の組織閉塞装置は、特定の組織欠損を閉じるには不十分である可能性がある。
【発明の概要】
【０００３】
本発明は、組織治療のための装置であって、近位端部から遠位端部へ長手方向に延びるとともに全長にわたって延びるチャネルを含み、かつ、装置の近位部に解放可能に連結されるカプセルと、近位端部が前記カプセルの前記チャネルの中に摺動可能に受け入れられるクリップ・アームと、を備える。前記クリップ・アームは、当該クリップ・アームの遠位端部が相互に離間するように前記カプセルの遠位端部を越えて遠位側に延出する開配置と、当該クリップ・アームの前記遠位端部が相互に引き寄せられるように前記カプセルの内面によって拘束される閉配置との間で移動可能である。前記クリップ・アームには、近位部と遠位部とを含むコア部材が連結され、前記近位部と前記遠位部とは、予め設定された荷重を受けた場合に、相互に分離するように相互に解放可能に連結される。前記コア部材には、導電性の制御部材が連結され、制御部材の近位端部は、電流を前記クリップ・アームに供給するために電源に接続される。
【０００４】
一実施態様において、前記装置の近位部は、可撓性部材と、前記可撓性部材の遠位端のブッシングとを含んでいてもよい。
一実施態様において、前記可撓性部材と前記ブッシングとは、当該可撓性部材を電流から保護するために非導電性要素によって相互に離間されていてもよい。
【０００５】
一実施態様において、前記コア部材の前記近位部と前記遠位部とは、破壊可能なリンクによって相互に連結されていてもよい。
一実施態様において、前記カプセルは、絶縁されているか、又は非導電性材料から形成されているか、のいずれか一方であってもよい。
【０００６】
一実施態様において、前記カプセルは、導電性材料から形成されていてもよい。
一実施態様において、前記制御部材の一部分は、前記装置の近位部を保護するために絶縁されていてもよい。
【０００７】
一実施態様において、電流が前記クリップ・アームの所望の部分に供給されるように当該クリップ・アームの一部分が絶縁されていてもよい。
一実施態様において、前記コア部材の前記近位部は、前記クリップ・アームの近位端部を嵌合するための拘束タブを含んでいてもよく、前記遠位部は、前記クリップ・アームのそれぞれを経由して横方向に延びる対応の切欠を嵌合させるための整合突出部を含んでいる。前記コア部材の前記遠位部は、解放可能に連結する何らかの手段を介して前記クリップ・アームに連結されていてもよく、解放可能に連結する何らかの手段は、たとえば、前記クリップ・アーム若しくは前記コア部材のいずれかの変形可能な部分、又は、前記クリップ・アーム若しくは前記コア部材のうちの１つに固定して連結される中間要素であり、そのそれぞれは、予め設定された荷重を受けた場合に、コア部材及びクリップ・アームの関係を断つように構成され得る。
【０００８】
一実施態様において、前記クリップ・アームの前記遠位端部は、当該クリップ・アームを介して電気エネルギーを受けた場合に把持した組織を焼灼するために、相互に向かって横方向に延びる鋭利な歯を含んでいてもよい。
【０００９】
一実施態様において、前記クリップ・アームの内面は、電気エネルギーを受けた場合に組織を凝固させるように構成されていてもよい。
また、本発明は、近位部と遠位部とを備えたクリッピング装置に関する。前記近位部は、近位端部から遠位端部へ長手方向に延びる可撓性部材と、前記可撓性部材の遠位端部に連結されたブッシングとを含む。前記遠位部は、当該遠位部が近位部から配置可能になるように前記近位部に解放可能に連結されており、前記遠位部は、ブッシングに解放可能に連結されたカプセルを含んでおり、前記カプセルは、近位端部から遠位端部へ長手方向に延びるとともに全長にわたって延びるチャネルを含んでおり、近位端部から延びるクリップ・アームが前記カプセルの前記チャネルの中に摺動可能に受け入れられる。前記クリップ・アームは、当該クリップ・アームの遠位端部が前記カプセルの遠位端部を越えて遠位側に延びて相互に離間する開配置と、当該クリップ・アームが前記カプセルの内面によって拘束され、前記クリップ・アームの遠位端部が相互に引き寄せられる閉配置との間で移動可能である。前記クリップ・アームの前記近位端部には、コア部材が連結されており、前記コア部材は、予め設定された荷重を受けた場合に、機能しなくなるように設計された破壊可能なリンクによって相互に連結された近位部と遠位部とを含む。前記コア部材には、近位端部が電流を前記クリップ・アームに供給するために電源に接続された導電性の制御ワイヤが連結される。
【００１０】
一実施態様において、前記クリッピング装置は、前記制御ワイヤの一部分に広がる絶縁シースをさらに含む。
一実施態様において、前記クリップ・アームの前記遠位端部は、相互に向かって横方向に延びる鋭利な歯を含む。
【００１１】
一実施態様において、前記クリップ・アームの一部分は絶縁され得る。
また、本発明は、目標組織を治療するための方法であって、本方法は、カプセルと、遠位端部が相互に離間する開配置と遠位端部が相互に引き寄せ合う閉配置との間で移動可能に前記カプセルの中に摺動可能に収容されるクリップ・アームとを含み、クリッピング装置の近位部に解放可能に連結されるとともに当該近位部から配置可能な前記クリッピング装置の遠位部を、生体の中の目標領域まで挿入する工程と、前記クリップ・アームを目標組織に接触させて位置決めする工程と、目標組織を治療するために、カプセル及びクリップ・アームのうちの１つに接続された導電性部材を介して電気的なエネルギーをクリップ・アームに供給する工程と、を備える方法に関する。
【００１２】
一実施態様において、目標組織に接触させて前記クリップ・アームを位置決めする工程は、当該クリップ・アームの内面が目標組織に接触して設置され、目標組織を凝固させるように開配置に前記クリップ・アームを移動させる工程を含んでいてもよい。
【００１３】
一実施態様において、目標組織に接触して前記クリップ・アームを位置決めする工程は、当該クリップ・アームの遠位端部において鋭利な歯同士の間に目標組織を把持し、当該目標組織を焼灼する工程を含んでいてもよい。
【００１４】
一実施態様において、本方法は、開配置における前記クリップ・アームの当該遠位端部同士の間に組織の目標部分を位置決めし、前記組織の目標部分を把持するために閉配置に当該クリップ・アームを引き寄せることによって、前記組織の目標部分を挟持する工程をさらに備えていてもよい。
【００１５】
一実施態様において、本方法は、クリップ・アームを閉配置でロックする工程、及び、装置の近位部から遠位部を配置する工程をさらに備えていてもよい。
【図面の簡単な説明】
【００１６】
【図１】本発明の例示的な実施形態による装置の縦断面図。
【図２】本発明の代替的な実施形態による装置の縦断面図。
【図３】本発明の別の例示的な実施形態による装置の縦側面図。
【図４】図３の装置の縦断面図。
【図５】本発明の別の代替的な実施形態による装置の部分透視斜視図。
【図６】図５の装置の縦断面図。
【発明を実施するための形態】
【００１７】
本発明は、以下の説明及び添付の図面を参照してさらに理解され得、図面において、同様の要素は、同じ参照番号を用いて参照されている。本発明は、組織の穿孔、欠損、及び出血の少なくとも何れか１つを治療するための内視鏡クリッピング装置を対象とする。とりわけ、本発明の例示的な実施形態は、挟持能力及び凝固能力の両方を有する止血クリップを説明している。クリッピング装置の一部分は、所望の凝固効果を実現するために、絶縁されるか、又は、非導電性材料から形成されていてもよい。本明細書で使用される場合、「近位」及び「遠位」という用語は、装置のユーザに向かう方向（近位）、装置のユーザから離れる方向（遠位）を指すことを意図しているということに留意すべきである。
【００１８】
図１に示されているように、本発明の例示的な実施形態による装置１００は、たとえば、内視鏡の動作経路を通して、治療対象の目標組織に向かって生体の中へ挿入可能な遠位部１０２を備える。装置は、身体を通る曲がりくねった経路を横断すること、たとえば、生体の開口を経由してアクセスされた生体の内腔を通して挿入される内視鏡の動作経路を通過することを許容する十分な可撓性を有する。遠位部１０２は、カプセル１０６の長手方向チャネル１２２の中に摺動可能に受け入れられた一対のクリップ・アーム１０４を含む。クリップ・アーム１０４は、当該クリップ・アーム１０４の遠位端部１０８が目標組織を受け入れるように相互に離間する開配置と、当該クリップ・アーム１０４の遠位端部１０８が目標組織を把持するために相互に向き合う閉配置との間で移動可能である。遠位部１０２は、装置１００の近位部１１０に解放可能に連結されており、前記近位部１１０は、身体の外側に残留し、当該遠位部１０２が配置される際にユーザが操作可能なハンドル（図示せず）を含む。クリップ・アーム１０４は、カプセル１０６の中に延びる制御部材１１２によって、開配置と閉配置との間で移動可能である。制御部材１１２の近位端部は、ハンドルに設けたアクチュエータに連結される。本実施形態において、制御部材１１２の遠位端部１１４は、クリップ・アーム１０４の近位端部１１６に連結される。また、制御部材１１２の近位端部は、より詳細に下記に説明するように、目標組織にエネルギーを供給するために、制御部材１１２を介してクリップ・アーム１０４に電流を供給するエネルギー供給源に接続されていてもよい。
【００１９】
装置１００の近位部１１０は、カプセル１０６をハンドルに連結する可撓性部材１１８を含む。可撓性部材１１８は、生体の曲がりくねった経路さえも通って装置１００の遠位部１０２を挿入することを容易にするために、たとえば、ワイヤのコイル、又は、何らかの別の適切な可撓性構造体として形成されていてもよい。カプセル１０６は、カプセル１０６に解放可能に連結されるブッシング１２０を介して可撓性部材１１８に連結されていてもよい。制御部材１１２は、クリップ・アーム１０４と連結されるように、可撓性部材１１８、ブッシング１２０、及びカプセル１０６を通って延びている。可撓性部材１１８とブッシング１２０とは、電気的に絶縁され、若しくは非導電性の材料から形成され、又は電気的に絶縁され、かつ、非導電性の材料から形成されて、ユーザ、周囲の器具、及び、目標とされていない組織が影響を受けないように保護する。絶縁体は、粉末コーティング若しくは収縮チュービングを使用して、又は、たとえば、プラスチック及び／若しくはセラミックなどのような、非導電性コンポーネントを使用することによって、生成し得る。絶縁材料は、アセタール（ＰＯＭ）、エポキシ、ＦＥＰ、ポリイミド、ＰＶＤＦ、フェノール樹脂、ＰＦＡ、ポリカーボネート、ポリスルホン、ＰＶＣ、ポリフェニレンサルファイド、ポリエーテルイミド、シリコーン、ポリエーテルエーテルケトン（ＰＥＥＫ）、ポリテトラフルオロエチレン（ＰＴＦＥ）、及びポリエチレンを含んでいてもよい。絶縁体の厚さは、０．０００５インチ（０．０１２７ｍｍ）から０．０２０インチ（０．５０８ｍｍ）の間にあることが可能であり、より具体的には、０．００２インチ（０．０５０８ｍｍ）から０．００６インチ（０．１５２４ｍｍ）の間にあることが可能である。
【００２０】
ブッシング１２０は、可撓性部材１１８の遠位端部１２６に取り付けられている近位端部１２４から、カプセル１０６に解放可能に連結されるブッシング遠位端部１２８へ長手方向に延びている。一実施形態において、ブッシング１２０は、カプセル１０６の対応する連結タブ１３２を受け入れるために、当該ブッシング１２０を横方向に連通する少なくとも１つの開口部１３０を含んでいてもよい。しかしながら、ブッシング１２０は、複数の開口部１３０を含んでいてもよく、特定の一実施形態においては、直径方向に互いに対向する一対の開口部１３０を含む。カプセル１０６及び可撓性部材１１８と同様に、ブッシング１２０は、周囲の領域がブッシング１２０を通る制御部材１１２を通る電流によって影響を受けることを防止するために、絶縁され、若しくは非導電性材料から形成され、又は、絶縁され、かつ、非導電性材料から形成されていてもよい。別の実施形態において、可撓性部材１１８及びブッシング１２０を通る予め設定された長さの制御部材１１２は、電流が制御部材１１２から装置１００の周囲の部分へ流れることを防止するために、絶縁され、若しくはシース１５８によってカバーされ、又は、絶縁され、かつ、シース１５８によってカバーされていてもよい。制御部材１１２を囲繞する絶縁体及びシース１５８の少なくともいずれか一方は、クリッピング装置の周辺部に対して追加的な保護を提供し得る。しかしながら、本実施形態において、可撓性部材１１８及びブッシング１２０は、絶縁／非導電性であることは必要とされない。
【００２１】
カプセル１０６は、ブッシング１２０に形成された一対の開口部１３０に対応するいくつかの連結タブ１３２を含む。カプセル１０６は、近位端部１３４から遠位端部１３６へ長手方向に延びているとともに、当該カプセル１０６を長手方向に通って延びるチャネル１２２を含む。連結タブ１３２は、当該連結タブ１３２がブッシング１２０の開口部１３０のうちの対応するものの中に受け入れられる場合にカプセル１０６及びブッシング１２０が相互に連結されるように、近位端部１３４から半径方向内向きに延びている。カプセル１０６はまた、当該カプセル１０６の近位部に沿ってカプセル１０６を横方向に通る一対の窓１３８を含む。一対の窓１３８は、さらに詳細に下記に説明されるように、クリップ・アーム１０４の近位端部１１６に設けたロッキング部材１４０を受け入れる寸法、形状を有する。本装置１００は、開口部１３０と連結タブ１３２とによってブッシング１２０とカプセル１０６とを連結するものとして示されているが、ブッシング１２０とカプセル１０６とが相互に解放可能に連結されており、本装置１００の遠位部１０２の配置時に解放可能である限りにおいて、ブッシング１２０とカプセル１０６とは、さまざまな方式のいずれかによって相互に連結されてもよい。
【００２２】
本実施形態のクリップ・アーム１０４は、予め設定された荷重を受けた場合に、近位部１４４と遠位部１４６とが相互に分離するように、相互に解放可能に連結された近位部１４４と遠位部１４６とを含むコア部材１４２によって制御部材１１２に連結される。一実施形態において、解放可能な連結は、予め設定された荷重を受けた場合に、分離又は破壊するように設計された破壊可能なリンク１４８であってもよい。破壊可能なリンクは、連結が予め設定された荷重を受けるまでは適切な場所に残存し、前記荷重が作用した場合に機能しなくなる限りにおいて、溶接又は他の適切な連結として形成されてもよい。コア部材１４２は、制御部材１１２に流れた電流がコア部材１４２を通ってクリップ・アーム１０４に至るように、導電性の材料から形成されている。制御部材１１２の遠位端部１１４は、たとえば、近位部１４４に形成され、拡大された遠位端部１１４に対応する寸法、形状を有するキャビティ１５４の中に受け入れられる当該遠位端部１１４によって、近位部１４４に連結される。このように、制御部材１１２がカプセル１０６に対して相対的に長手方向に動かされた際、コア部材１４２、したがってクリップ・アーム１０４は、カプセル１０６に対して相対的に動かされる。
【００２３】
本実施形態の近位部１４４は、クリップ・アーム１０４の近位端部１１６を嵌合させるために、近位部１４４の両側に配置される一対のタブ１５０を含む。遠位部１４６は、クリップ・アーム１０４の一部分を通して横方向に延び、対応した寸法、形状が設定される切欠を嵌合させるためにそれぞれが対応するタブ１５０の１つに対して長手方向に整合する整合突出部１５２を含む。整合突出部１５２は、それぞれに対するクリップ・アーム１０４との整合を維持する。コア部材１４２は、破壊可能なリンク１４８によって相互に連結された部分を有する単一の要素として説明されて示されているが、クリップ・アーム１０４は、他のメカニズムによってそれぞれが連結するとともに整合していてもよい。たとえば、コア部材１４２は、当業者によって理解されるように、単一のものであってもよく、又は、分離可能なジョイントによるさまざまな方式で相互に連結される２つ以上の別々の要素から構成されてもよい。
【００２４】
クリップ・アーム１０４は、当該クリップ・アーム１０４がカプセル１０６の遠位端部１３６を超えて遠位側に動かされた際にクリップ・アーム１０４の遠位端部１０８が相互に開配置に離間するように、開配置に付勢されている。クリップ・アーム１０４がカプセル１０６内へ近位側に引き込まれた場合、当該クリップ・アーム１０４は、カプセル１０６の内面と接触することによって、閉配置に移動し、カプセル１０６によって閉じた位置に保持される。上述のように、クリップ・アーム１０４は、制御部材１１２によって開配置と閉配置との間で移動する。クリップ・アーム１０４は、制御部材１１２に流れた電流がクリップ・アーム１０４に流れて当該クリップ・アーム１０４と接触している目標組織に至るように、導電性の材料から形成されている。閉配置にクリップ・アーム１０４を引き寄せるために必要とされる引っ張り距離は、制御部材１１２の導電性部分、コア部材１４２、及びクリップ・アーム１０４が、可撓性部材１１８のいずれの導電性部分にも決して引き込まれないようなものとなるように、クリップ・アーム１０４とカプセル１０６とが構成されている。
【００２５】
クリップ・アーム１０４の小さい電流放出領域を備えた特徴部、たとえば、鋭利なエッジなどは、焼灼エッジ又は切除エッジとして使用され得る。たとえば、クリップ・アーム１０４の遠位端部１０８における鋭利な歯１０９は、相互に横方向に延びて、歯１０９、歯１０９の間に組織を把持した際に、当該鋭利な歯１０９に接触している組織を焼灼するために使用され得る。大きい電流放出領域を備えた特徴部、たとえば、滑らかな表面などは、凝固のために使用されてもよい。たとえば、クリップ・アーム１０４の長手沿いの内面１５６（すなわち、クリップ・アーム１０４が相互に引き寄せられている場合に相互に面するクリップ・アーム１０４の表面）は、組織に押圧されている場合に凝固効果をもたらすために使用されてもよい。別の例において、クリップ・アーム１０４は、遠位端部１０８の鋭利な歯１０９が相互に接合されて滑らかな遠位エッジを形成するように、閉配置に移動してもよい。この滑らかな遠位エッジは、より小さい領域の組織を凝固させるために使用され得る。さらに別の例において、クリップ・アーム１０４の遠位表面は、閉配置において、目標組織に押圧され、組織を凝固させることが可能である。クリップ・アーム１０４の異なる領域が組織に押圧された際に、当該組織に対して異なる効果をもたらし得る。しかして、先端部の幾何学形状及び材料構造は、組織に作用する電流密度を変化させ得る。大きい領域、たとえば、クリップ・アーム１０４の内面又は外面などは、凝固に関してより低い電流密度効果をもたらす。より小さく、より鋭利な領域、たとえば、クリップ・アーム１０４の先端部又は鋭利な歯１０９などは、切除に関してより高い電流密度効果をもたらす。例示的な実施形態は、完全に導電性のものとして、クリップ・アーム１０４のすべてを示して説明しているが、その所望の部分が導電性となるように、クリップ・アーム１０４の一部分を絶縁することも可能である。たとえば、クリップ・アーム１０４の遠位先端部だけが導電性であることが望まれ得る。
【００２６】
上述のように、装置１００は、目標領域を治療するために望まれるとき又は必要な場合には、目標組織の焼灼や切除、凝固、及び挟持の少なくとも何れか１つを行う。焼灼及び凝固効果は、制御部材１１２の近位端部に接続された電源の投入及び遮断によって制御され得る。組織を焼灼又は凝固することが望まれる場合には、電源は、電流がクリップ・アーム１０４に流れるように、投入され得る。所望の焼灼及び／又は凝固効果が実現された場合、又は、装置１００の挟持機能を利用することが望まれる場合には、挟持された組織へのエネルギーのさらなる印加を施すことなくクリップ・アーム１０４が目標組織に位置決めされて当該目標組織を挟持するように、電源が遮断される。目標組織がクリップ・アーム１０４の間に位置決めされると、クリップ・アーム１０４は、より詳細に下記に説明されるように、装置１００の遠位部１０２が目標組織に配置され得るように、閉配置に移動可能である。
【００２７】
例示的な方法によれば、装置１００の遠位部１０２は、たとえば、内視鏡の動作経路を通して、生体の中の目標領域まで挿入され得る。遠位部１０２は、閉配置で動作経路を通して挿入され得る。しかしながら、遠位部１０２が目標領域に到達すると、制御部材１１２をカプセル１０６に対して遠位側に移動させることによって、クリップ・アーム１０４は、開配置へ移動可能である。クリップ・アーム１０４は、開配置と閉配置との間で移動可能なものであり、所望の効果を実現し得る仕方で、組織を把持するか、組織に接触するか、その両方を行う。たとえば、切除するために、クリップ・アーム１０４の遠位端部１０８は、開配置で、切除される組織の領域の周辺に位置決めされ得る。クリップ・アーム１０４は、切除が望まれる目標領域の部分がクリップ・アーム１０４の遠位端部１０８の鋭利なエッジ又は歯１０９同士の間に把持され得るように、閉配置に引き寄せられ得る。制御部材１１２を流れる電流がクリップ・アーム１０４に流れて遠位端部１０８に至り、把持されている組織を焼灼／切除するように、電源が投入され得る。また、目標領域の中の組織の一部分を凝固することが望まれる。一例において、クリップ・アーム１０４は、内面１５６が治療対象の組織に接触するように、開配置で治療対象の組織の一部分にわたって位置決めされてもよい。クリップ・アーム１０４は、組織との接触の面積を増加させるように、閉配置にわずかに移動してもよい。別の例において、閉配置にあるクリップ・アーム１０４は、組織を凝固させるための滑らかな遠位エッジを形成し得る。滑らかな遠位エッジは、より多くの組織の目標とされた部分を凝固させるために使用され得る。電源を投入することにより、電流がクリップ・アーム１０４に流れ、クリップ・アーム１０４が接触している組織を凝固させる。所望の焼灼や凝固効果が達成されるまで、上述の工程が繰り返され得る。
【００２８】
所望の焼灼や凝固が完了した場合、又は、装置１００の挟持態様を利用することが望まれる場合には、電源が遮断されるとともに、クリップ・アーム１０４が組織の挟持対象となる部分周辺に位置決めされ得る。組織の挟持対象となる部分がクリップ・アーム１０４の間に位置決めされると、クリップ・アーム１０４は、組織が当該クリップ・アーム１０４の間に把持されるように、閉配置に移動される。クリップ・アーム１０４は、組織の所望の部分が把持されるまで、開配置と閉配置との間で移動可能である。１つの特定の実施形態において、コア部材１４２の近位端部１６０が近位に移動し、カプセル１０６の連結タブ１３２に接触するまで、制御部材１１２をさらに近位に引き寄せることによって、装置１００の遠位部１０２は、クリップ・アーム１０４が閉配置の状態で配置され得る。タブ１３２に対する近位方向の力は、ブッシング１２０の開口部１３０からタブ１３２を押し出し、ブッシング１２０からカプセル１０６を解放する。制御部材１１２のさらなる近位方向の運動は、クリップ・アーム１０４を閉配置でロックするべく窓１３８に嵌合させるために、クリップ・アーム１０４の近位端部１１６を解放するように、コア部材１４２との関係を解消する。コア部材１４２の近位部１４４は、カプセル１０６から外へ近位側に引き寄せられ、それによって、装置１００の遠位部１０２を近位部から分離し、装置を体の中に配置する。
【００２９】
上述の配置工程は、装置１００の遠位部がどのように配置され得るかということの１つの例である。クリップ・アーム１０４を閉配置でロックしつつ、カプセル１０６をブッシング１２０から解放する配置である限りにおいて、遠位部１０２は、コア部材１４２の構成、及び／又はブッシング１２０とカプセル１０６との間の連結に応じて、さまざまな異なる方式で配置され得る。
【００３０】
代替的な実施形態によれば、図２に示されるように、装置１００’は、上述の装置１００と概ね同様であり、カプセル１０６’の中に摺動可能に受け入れられ、制御部材１１２’によって開配置と閉配置との間で移動されるクリップ・アーム１０４’を含む遠位部１０２’を備える。装置１００’は、装置１００と概ね同じ仕方で使用され得る。しかしながら、カプセル１０６’は、絶縁されていたり、非導電性材料から形成されていたりするのではなく、むしろ、電気的なエネルギーが流れ得るように導電性材料から形成されている。たとえば、電気的なエネルギーは、装置１００に関連して概ね既述しているように、制御部材１１２’を通り、カプセル１０６’と接触するコア部材１４２’及びクリップ・アーム１０４’の少なくとも何れか一方によってカプセル１０６’に伝わり得る。
【００３１】
装置１００と同様に、遠位部１０２’は、ブッシング１２０’によって、装置１００’の近位部１１０’の可撓性部材１１８’に解放可能に連結される。しかしながら、近位部１１０’は、ブッシング１２０’と可撓性部材１１８’との間に位置決めされ、可撓性部材１１８’を電流からさらに保護する非導電性セパレータ１６２’をさらに含む。上述の装置１００と概ね同様に、可撓性部材１１８’はまた、制御ワイヤ１１２’の内部に延びている制御ワイヤ１１２’の被覆部、及び非導電性シース１５８’を有する制御ワイヤ１１２’の被覆部の少なくとも何れか一方によって、電流から保護され得る。
【００３２】
図３および図４に示されるように、別の例示的な実施形態による装置２００は、上述の装置１００と概ね同様であり、開配置と閉配置との間でカプセル２０６の中を摺動可能である一対のクリップ・アーム２０４を備える。しかしながら、制御部材２１２によってクリップ・アーム２０４まで電流を流すのではなく、クリップ・アーム２０４による焼灼や凝固は、むしろ誘導結合又は容量結合によって活性化され得る。とりわけ、導電性コイル２６４は、カプセル２０６の外面の周りに延びることが可能である。導電性コイル２６４は、上述のようにクリップ・アーム２０４が装置１００と概ね同様の様式で組織を焼灼させたり凝固させたりするべく、電源供給時に当該導電性コイル２６４がクリップ・アーム２０４に電気的なエネルギーを与える電界を生成するように、装置２００の近位端部において電源に接続され得る。クリップ・アーム２０４は、導電性コイル２６４によって活性化されるので、制御部材２１２は、絶縁されており、若しくは、非導電性材料から形成されており、又は、絶縁され、かつ、非導電性材料から形成されている。
【００３３】
図５および図６に示されるように、代替的な実施形態による装置２００’は、装置２００と概ね同様である。しかしながら、装置２００’は、カプセルの外部周辺の導電性コイルではなく、むしろカプセル２０６’の内面周辺に延びて、カプセル２０６’の中に摺動可能に受け入れられるクリップ・アーム２０４’を活性化させるための電界を生成させる導電性コイル２６４’を備える。図示されていない別の実施形態において、導電性コイルが、カプセル２０６’の壁部の中に埋め込まれていてもよい。
【００３４】
装置２００、２００’は、装置１００と概ね同様の様式で使用され得る。とりわけ、クリップ・アーム２０４、２０４’は、上述のように、組織を焼灼、凝固、挟持の少なくとも何れか１つのために使用され得る。
【００３５】
本発明の要旨及び範囲から逸脱することなく、本発明の構造及び方法について変更可能である。したがって、本発明は、当業者によって企図され得るこの開示の修正例及び変形例をカバーすることが意図されている。
【図１】
0006682627.tif 000002
【図２】
0006682627.tif 000003
【図３】
0006682627.tif 000004
【図４】
0006682627.tif 000005
【図５】
0006682627.tif 000006
【図６】
0006682627.tif 000007